(57)【要約】【課題】  物品に取り付けられたＲＦＩＤタグの物品情報を含む電磁波を、電磁遮蔽材から影響を受けることなく読出装置に受信させ、正常に物品情報を読出可能な引き出しを備える什器を提供すること。【解決手段】  ＲＦＩＤタグ３０が取り付けられた物品１４が収納可能になっている引き出し２０２を備え、この引き出し２０２には物品情報が記録された前記ＲＦＩＤタグの情報を読み出す読出装置４６が備えられる什器２００において、引き出し２０２は電磁遮蔽材によって構成されるとともに、読出装置４６は、引き出しの後面板２０２ａに沿う方向で、かつ前記引き出しの後面板２０２ａと底板２０２ｅ及び両側面板２０２ｂ、２０２ｃから所定間隔以上離間させて配設されている。【選択図】  図５
2006218051.tif 000002
【特許請求の範囲】
【請求項１】
ＲＦＩＤタグが取り付けられた物品が収納可能になっている引き出しを備え、該引き出しには物品情報が記録された前記ＲＦＩＤタグの情報を読み出す読出装置が備えられる什器であって、前記引き出しは電磁遮蔽材によって構成されるとともに、前記読出装置は、前記引き出しの後面板に沿う方向で、かつ前記引き出しの後面板と底板及び両側面板から所定間隔以上離間させて配設されることを特徴とする物品情報を読出可能な引き出しを備える什器。
【請求項２】
前記後面板から所定間隔以上離間するように、前記読出装置が非電磁遮蔽材からなる後部スペーサに取り付けられた請求項１に記載の物品情報を読出可能な引き出しを備える什器。
【請求項３】
前記読出装置と前記後面板との間に磁性体を介挿させた請求項１または２に記載の物品情報を読出可能な引き出しを備える什器。
【請求項４】
前記ＲＦＩＤタグの取り付け位置を前記物品が引き出しに収納された際に、前記読出装置側の近傍位置になるようにした請求項１乃至３のいずれかに記載の物品情報を読出可能な引き出しを備える什器。
【請求項５】
前記両側面板に、該両側面板から前記ＲＦＩＤタグを所定間隔以上離間するように非電磁遮蔽材からなる側部スペーサを各々設けた請求項１乃至４のいずれかに記載の物品情報を読出可能な引き出しを備える什器。
【請求項６】
前記側部スペーサと前記両側面板との間に磁性体を各々介挿させた請求項５に記載の物品情報を読出可能な引き出しを備える什器。
【発明の詳細な説明】
【技術分野】
【０００１】
本発明は、物品情報が記録されたＲＦＩＤタグの情報を読出可能な引き出しを備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。尚、ＲＦＩＤ（Ｒａｄｉｏ Ｆｒｅｑｕｅｎｃｙ ＩＤｅｎｔｉｆｉｃａｔｉｏｎ、無線による識別）タグとは、記憶部を有するＩＣチップと、記憶部に記憶された情報を送受信可能な無線アンテナと、からなる。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
【特許文献１】特開平７−１８２３５７号公報（段落００１１−００２２、図１〜３）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置の磁気アンテナから発生される電磁波の磁界の向きに対して、電磁遮蔽材からは磁界が逆向きに発生されることで、読出装置からの電磁波が電磁遮蔽材によって影響されていた。
【０００６】
特に電磁遮蔽材で構成された引き出しを備えた什器においては、読出装置の取付位置に苦慮し、最適な取付箇所を見出すことが困難であるとともに、引き出し内に読出装置を備えた場合でも、引き出しを構成する電磁遮蔽材によって読出装置からの電磁波が電磁遮蔽材によって影響されてしまうため、引き出し収納部に収納されるバインダーやファイルケース等の物品に取り付けられたＲＦＩＤタグに起電力が発生しにくくなり、ＲＦＩＤタグに記録される物品情報を含む電磁波の読み取りに不具合が生じることがあった。
【０００７】
本発明は、このような問題点に着目してなされたもので、物品に取り付けられたＲＦＩＤタグの物品情報を含む電磁波を、電磁遮蔽材から影響を受けることなく読出装置に受信させ、正常に物品情報を読出可能な引き出しを備える什器を提供することを目的とする。
【課題を解決するための手段】
【０００８】
上記課題を解決するために、本発明の請求項１に記載の物品情報を読出可能な引き出しを備える什器は、ＲＦＩＤタグが取り付けられた物品が収納可能になっている引き出しを備え、該引き出しには物品情報が記録された前記ＲＦＩＤタグの情報を読み出す読出装置が備えられる什器であって、前記引き出しは電磁遮蔽材によって構成されるとともに、前記読出装置は、前記引き出しの後面板に沿う方向で、かつ前記引き出しの後面板と底板及び両側面板から所定間隔以上離間させて配設されることを特徴としている。
この特徴によれば、引き出しを構成する電磁遮蔽材の後面板と底板及び両側面板から、読出装置が常に所定間隔以上離間されるので、読出装置からの電磁波を電磁遮蔽材に影響されることなく、引き出しに収納された物品に取り付けられたＲＦＩＤタグに受信させ、ＲＦＩＤタグからの電磁波を電磁遮蔽材に影響されることなく、正常に読出装置に受信させることができる。
【０００９】
本発明の請求項２に記載の物品情報を読出可能な引き出しを備える什器は、請求項１に記載の物品情報を読出可能な引き出しを備える什器であって、前記後面板から所定間隔以上離間するように、前記読出装置が非電磁遮蔽材からなる後部スペーサに取り付けられたことを特徴としている。
この特徴によれば、読出装置を後部スペーサに取り付けるだけで、常に読出装置と後面板とを所定間隔以上安定して離間させた状態とすることができる。
【００１０】
本発明の請求項３に記載の物品情報を読出可能な引き出しを備える什器は、請求項１または２に記載の物品情報を読出可能な引き出しを備える什器であって、前記読出装置と前記後面板との間に磁性体を介挿させたことを特徴としている。
この特徴によれば、磁性体を読出装置と後面板との間に磁性体を介挿させたことにより、読出装置と後面板との所定間隔の幅を狭めることができるので、引き出しの収納部が広く確保される。
【００１１】
本発明の請求項４に記載の物品情報を読出可能な引き出しを備える什器は、請求項１乃至３のいずれかに記載の物品情報を読出可能な引き出しを備える什器であって、前記ＲＦＩＤタグの取り付け位置を前記物品が引き出しに収納された際に、前記読出装置側の近傍位置になるようにしたことを特徴としている。
この特徴によれば、引き出しに物品を収納させた際にＲＦＩＤタグと読出装置との距離が近づくため、読出装置によるＲＦＩＤタグ情報の読み取り精度をより高めることができる。
【００１２】
本発明の請求項５に記載の物品情報を読出可能な引き出しを備える什器は、請求項１乃至４のいずれかに記載の物品情報を読出可能な引き出しを備える什器であって、前記両側面板に、該両側面板から前記ＲＦＩＤタグを所定間隔以上離間するように非電磁遮蔽材からなる側部スペーサを各々設けたことを特徴としている。
この特徴によれば、電磁遮蔽材である両側面板に近接して物品を引き出しに収納させた場合であっても、側部スペーサによってＲＦＩＤタグと側面板との距離が常に所定間隔以上離間されるので、ＲＦＩＤタグと読出装置の電磁波の送受信に影響を与えることなく、より確実に読出装置によるＲＦＩＤタグの物品情報を受信させることが可能となる。
【００１３】
本発明の請求項６に記載の物品情報を読出可能な引き出しを備える什器は、請求項５に記載の物品情報を読出可能な引き出しを備える什器であって、前記側部スペーサと前記両側面板との間に磁性体を各々介挿させたことを特徴としている。
この特徴によれば、磁性体を側部スペーサと両側面板との間に磁性体を各々介挿させたことにより、側部スペーサと両側面板との所定間隔の幅を狭めることができるので、引き出しの収納部をより広く確保できる。
【発明を実施するための最良の形態】
【００１４】
本発明の実施例を以下に説明する。
【実施例１】
【００１５】
図１は、什器が適用された物品管理システムの構成を示すブロック図および什器群の斜視図であり、図２（ａ）は、什器から引き出された引き出しを示す組立分解斜視図であり、図２（ｂ）は、読出装置が配設された後部スペーサの要部拡大組立分解斜視図であり、図３は、組み立て完成後の引き出しと、引き出しに収納される物品を示す斜視図であり、図４は、図１の什器の引き出し側の縦断面図であり、図５は、図４のＡ−Ａ線を示す引き出しの平面断面図である。
【００１６】
図１に示されるように、物品が収納される什器１は複数設置（本実施例では３台設置）されており、これら什器１側からは各種信号の送受信を行う信号ケーブルと、電力を供給する給電ケーブルと、を含む通信ケーブル２を介してチューナー等の中継装置１１に接続されており、中継装置１１は通信ケーブル２を介して什器アンテナ１０に接続されている。
【００１７】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１８】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１９】
什器１は従来公知のラテラル式の什器２００の上部に書庫１００を載置した構成となっており、書庫１００には棚板２５、２６で区画された上棚収納部１０１と下棚収納部１０２が形成され、什器２００には引き出し２０１、２０２、２０３、２０４が備えられており、これらの収納部にファイルやカルテ等の書類を収納するファイルケースや書籍等の物品７が収納されている。後で詳述するが、什器１に収納されるファイルケースや書籍等の物品には、個々にＲＦＩＤタグが貼付されている。
【００２０】
什器２００の引き出し２０１、２０２、２０３、２０４の内部には、後述する読出装置としてのＲＦＩＤアンテナが配設されており、ＲＦＩＤタグからの物品情報を含む電磁波を受信可能になっている。ＲＦＩＤアンテナは通信ケーブル２に接続され、中継装置１１、什器アンテナ１０、管理アンテナ９を介して、管理コンピュータ３に接続されており、これら引き出し２０１、２０２、２０３、２０４に収納されるＲＦＩＤタグの物品情報のデータが管理コンピュータ３に送信されることで、管理コンピュータ３で複数の引き出し２０１、２０２、２０３、２０４に収納される物品の管理を一元的に行えるようになっている。
【００２１】
また、什器２００には、解錠ランプ２１５、施解錠装置２１７、スピーカ２１６が設けられ、各引き出し２０１、２０２、２０３、２０４の後述する収納部に対応して、取手２２０の中央位置に収納部指示ランプ２１１、２１２、２１３、２１４が設けられており、前述のＲＦＩＤアンテナと同様に通信ケーブル２に接続され、中継装置１１、什器アンテナ１０、管理アンテナ９を介して、管理コンピュータ３に接続されており、管理コンピュータ３で一元的に収納部指示ランプ（２１１〜２１４）の点灯、消灯または点滅を制御可能になっている。
【００２２】
つまり、管理コンピュータ３からの制御データに基づいて、これらランプの点灯消灯が制御され、例えば、収納部指示ランプ２１２の点灯に基づいて、引き出し２０２の場所を利用者に報知可能な構成になっている。なお、引き出し２０１、２０２、２０３、２０４の各収納部内には後述するバインダーや、ファイルケース等が収納されており、多くの各種書類が保管可能になっている。これら物品には個々にＲＦＩＤタグが取り付けられている。
【００２３】
なお、本実施例のＲＦＩＤアンテナと、物品情報が記録されたＲＦＩＤタグには、それぞれ環状のコイル型のアンテナを用いており、ＲＦＩＤアンテナとＲＦＩＤタグのコイル間に誘導されて発生する磁束を利用した電磁誘導方式により交信を行うようになっている。          
【００２４】
このＲＦＩＤアンテナの読み出し周波数は、電磁誘導方式の長波帯（〜１３５ｋＨｚ）の周波数（本実施例においては１２５ｋＨｚ）を用いているが、本発明は、例えば、電磁誘導方式の短波帯（１３．５６ＭＨｚ）や、マイクロ波帯の電波を利用した電波方式のマイクロ波帯（２．４５ＧＨｚ）や、ＵＨＦ帯（９５０ＭＨｚ〜９５６ＭＨｚ）等を利用することもでき、棚に載置される物品の形状や交信距離にあわせて、より理想的な環境下に適合した最適な方式と周波数のＲＦＩＤアンテナと、該ＲＦＩＤアンテナと交信可能なＲＦＩＤタグを適宜利用するようにすれば良い。
【００２５】
次に、ＲＦＩＤアンテナが配設された引き出し２０２の構造と、ＲＦＩＤアンテナとＲＦＩＤタグの関係を、図２ないし図５を用いてさらに詳述して説明する。なお、引き出し２０１、２０３、２０４の構造も引き出し２０２と同様のため一部説明を割愛する。
【００２６】
図２（ａ）に示されるように、引き出し２０２は取手２２０および収納部指示ランプ２１２が設けられた前方の前面板２０２ｄ（電磁遮蔽材）、後方の後面板２０２ａ（電磁遮蔽材）、左右の側面板２０２ｂ，２０２ｃ（電磁遮蔽材）、および底板２０２ｅ（電磁遮蔽材）からなる上部が開口された矩形体で形成され、後述のバインダー等を収納できる収納部２１０が形成されている。左側面板２０２ｂおよび右側面板２０２ｃの外面下部位置には、前後に向けて嵌合レール２２７が延設されている。
【００２７】
収納部２１０内には、後面板２０２ａの内周面に沿うように、非電磁遮蔽材であるプラスチック製の樹脂材で形成された後部スペーサ５０を、矢印に示される方向に向けて底板２０２ｅに載置させ取り付け可能になっており、同様にして、左側面板２０２ｂの内側面に沿うように非電磁遮蔽材である左側部スペーサ６０と、右側面板２０２ｃの内側面に沿うように非電磁遮蔽材である右側部スペーサ７０を、それぞれ矢印に示される方向に向けて取り付け可能になっている。
【００２８】
後部スペーサ５０の後面板２０２ａに面する側は開口されており、内部に読出装置であるＲＦＩＤアンテナ４６を収納し、通信ケーブル２が配線可能なアンテナ収納空間５２が形成されており、同様に左側部スペーサ６０および右側部スペーサ７０のそれぞれの側面板２０２ｂ、２０２ｃに面する側も開口され、通信ケーブルのための配線空間６２，７２が形成されている。
【００２９】
後部スペーサ５０には、ＲＦＩＤアンテナ４６に接続された通信ケーブル２や他の通信ケーブルを上方に引き出すための配線溝５３が形成され、左右端部位置には、通信ケーブル２を挿通させるための配線孔５１が形成されている。同様に左側部スペーサ６０および右側部スペーサ７０の前後端部位置にも、通信ケーブルを挿通させるための配線孔６１，７１が各々形成されている。
【００３０】
後部スペーサ５０について具体的に説明すると、図２（ｂ）に示されるようにＲＦＩＤアンテナ４６の背面中央位置には、通信ケーブル２を接続した接続部４７が固着されており、通信ケーブル２を介して中継装置１１（図１参照）と接続されている。このＲＦＩＤアンテナ４６を矢印に示される方向に向けて、アンテナ収納空間５２内に移動させながら、ＲＦＩＤアンテナ４６の前面側を後部スペーサ５０の前方側裏面に接着剤等で固着させることで取り付けられている。
【００３１】
このように、読出装置であるＲＦＩＤアンテナ４６を後部スペーサ５０に取り付けておくことにより、後面板２０２ａに後部スペーサ５０を設置するだけで、ＲＦＩＤアンテナ４６を簡便に引き出し２０２内に配設可能になっている。
【００３２】
これら後部スペーサ５０および左側部スペーサ６０，右側部スペーサ７０を引き出し２０２に取り付けた完成図が図３に示されており、前面板２０２ｄおよび底板２０２ｅ，後部スペーサ５０，左側部スペーサ６０，右側部スペーサ７０に囲繞された収納部２１０にバインダー１４等の物品を収納可能になっている。収納部指示ランプ２１２には通信ケーブル２が接続され、この通信ケーブル２は前面板２０２ｄの裏面に沿って配線され、左側部スペーサ６０の配線孔６１を介して配線空間６２［図２（ａ）参照］内に配線され、さらに後部スペーサ５０の配線孔５１を介してアンテナ収納空間５２［図２（ａ）参照］内に配線され、配線溝５３から外部に延設されて、中継装置１１（図１参照）に接続される。
【００３３】
バインダー１４の側面一方側には、ＲＦＩＤタグ３０が取り付けられており、このＲＦＩＤタグ３０の取付位置はバインダー１４の底面から上方に向けて、所定間隔（Ｌ０）以上離間されるとともに、後部寄りに取り付けられている。そこで、バインダー１４を収納部２１０に収納する際には、矢印に示される方向に移動させながら、常にＲＦＩＤタグ３０の位置を後部スペーサ５０側に向くように収納させることが好ましい。
【００３４】
すなわち、ＲＦＩＤタグ３０の取り付け位置を引き出し２０２の収納部２１０に収納させた際に、読出装置であるＲＦＩＤアンテナ４６の近傍位置になるようにすることで、ＲＦＩｓＤタグ３０とＲＦＩＤアンテナ４６との距離が近づくため、ＲＦＩＤアンテナ４６によるＲＦＩＤタグ３０の物品情報の読み取り精度をより高めることができる。
【００３５】
さらに、ＲＦＩＤタグ３０の取り付け位置をバインダー１４の底面から所定間隔（Ｌ０）以上離間され配置されたことで、バインダー１４を収納部２１０に収納させると、電磁遮蔽材である底板２０２ｅからの影響を受けることなく、ＲＦＩＤタグ３０とＲＦＩＤアンテナ４６の送受信がより正確に行われている。
【００３６】
なお、ＲＦＩＤタグと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤタグと電磁遮蔽材との間隔を４０ｍｍ以上離間させることが好ましいことが実験的に検証されている。そこで、本実施例においては、バインダー１４に配設されるＲＦＩＤタグ３０と底板２０２ｅの間隔（Ｌ０）を５０ｍｍとした。
【００３７】
図４に示されるように、前述した引き出し２０２や他の引き出し２０１，２０３，２０４が収納される什器２００の什器本体１ａは、電磁遮蔽材（本実施例ではスチール材）である背面板１７、側面板１９、底板１８、から構成され、正面が開口するように引き出し収納庫２００ａが形成されている。側面板１９には、案内レール２２６が４段設けられていて、引き出し２０２の側面に形成された嵌合レール２２７を案内レール２２６に摺動可能に嵌合させることで、引き出し２０２が什器本体１ａの内部である引き出し収納庫２００ａに収納あるいは引き出される。
【００３８】
天板１６から背面板１７かけては、通信ケーブル２が配線されており、天板１６の正面部に設けられた解錠ランプ２１５、そして図１で示されたスピーカ２１６、施解錠装置２１７にそれぞれ接続され、これら通信ケーブル２は束ねられて外部に配線され中継装置１１に接続されている。
【００３９】
背面板１７側から什器本体１ａの内部に向けて配線された通信ケーブル２は、引き出し２０２の後面板２０２ａ側から配線され、後部スペーサ５０内部のＲＦＩＤアンテナ４６と前面板２０２ｄの外部の収納部指示ランプ２１２にそれぞれ接続配線されている。
【００４０】
そして、引き出し２０２や一部破断図の引き出し２０３にも示されるように、後面板２０２ａに設けられた後部スペーサ５０には、ＲＦＩＤアンテナ４６が所定の位置で配設されており、このＲＦＩＤアンテナ４６の所定の配設位置とは、引き出し２０２前方の前面板２０２ｄから所定間隔（Ｌ１）以上離間され、後方の後面板２０２ａからも所定間隔（Ｌ２）で離間されるように配置され、同様に底板２０２ｅからも所定間隔（Ｌ３）で離間されるように配置される位置である。
【００４１】
なお、ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００４２】
そこで、本実施例においては、ＲＦＩＤアンテナ４６と前面板２０２ｄとの間隔（Ｌ１）を５０ｍｍとし、ＲＦＩＤアンテナ４６と後面板２０２ａとの間隔（Ｌ２）を５０ｍｍとし、ＲＦＩＤアンテナ４６と底板２０３ｅとの間隔（Ｌ３）を５０ｍｍとした。
【００４３】
図５に示されるように、引き出し２０２の収納部２１０には左右方向に向けて複数のバインダーが複数収納されており、これらバインダー１４のＲＦＩＤタグ３０をＲＦＩＤアンテナ４６の近傍に位置するように収納することで、ＲＦＩＤアンテナ４６によって複数のＲＦＩＤタグ３０の物品情報を同時に読み出す際にも読み取りミスの発生を防止でき、正確に物品情報の読み出しが行えるようになっている。
【００４４】
さらに、これらバインダー１４を収納部２１０のいずれの位置に収納させた場合であっても、後部スペーサ５０によって、ＲＦＩＤタグ３０は常に電磁遮蔽材である後面板２０２ａから所定間隔（Ｌ２）以上離間され、さらに、ＲＦＩＤタグ３０は左右の側部スペーサ６０，７０によって、電磁遮蔽材である左右の側面板２０２ｂ，２０２ｃから所定間隔（Ｌ４）以上離間される構成になっている。
【００４５】
具体的には本実施例において、後部スペーサ５０の前後幅はＲＦＩＤアンテナ４６と後面板２０２ａとの間隔（Ｌ２）が５０ｍｍ以上離間するように形成され、左右の側部スペーサ６０，７０の左右幅は、それぞれ左右の側面板２０２ｂ，２０２ｃとの間隔（Ｌ４）が５０ｍｍ以上離間するように形成されている。なお、ＲＦＩＤアンテナ４６の左右端部も左右の側面板２０２ｂ，２０２ｃから所定間隔（Ｌ４）以上離間された位置で後部スペーサ５０に配設されている。
【００４６】
このことから、後面板２０２ａおよび左右の側面板２０２ｂ，２０２ｃに近接して、バインダー１４を収納部２１０に収納させた場合であっても、後部スペーサ５０と左右の側部スペーサ６０，７０によって、ＲＦＩＤタグ３０との距離が常に所定間隔以上離間されるので、ＲＦＩＤタグ３０とＲＦＩＤアンテナ４６の電磁波の送受信に影響を与えることなく、より確実にＲＦＩＤアンテナ４６によるＲＦＩＤタグ３０の物品情報を受信させることが可能となる。
【００４７】
以上の説明により実施例１では、引き出し２０２を構成する電磁遮蔽材である後面板２０２ａと底板２０２ｅ及び両側面板２０２ｂ，２０２ｃ、前面板２０２ｄから、読出装置であるＲＦＩＤアンテナ４６及びＲＦＩＤタグ３０が常に所定間隔以上離間されるので、ＲＦＩＤアンテナ４６からの電磁波をこれら電磁遮蔽材に影響されることなく、引き出し２０２の収納部２１０に収納された物品であるバインダー４６に取り付けられたＲＦＩＤタグ３０に受信させ、ＲＦＩＤタグ３０からの電磁波を電磁遮蔽材に影響されることなく、正常にＲＦＩＤアンテナ４６に受信させることができる。
【実施例２】
【００４８】
次に、本発明の実施例２を図６に基づいて説明する。図６は、引き出しの平面断面図である。なお、以下の実施例２において前述の実施例１と同様の構造部分に関しては、同一の符号を付すことにより詳細な説明は省略することにする。
【００４９】
図６に示されるように、後面板２０２ａに配設された後部スペーサ５０’は前後幅が前述した実施例１における後部スペーサ５０の前後幅よりも短く形成されており、後面板２０２ａとＲＦＩＤアンテナ４６の間には磁性体２１を介挿させている。この磁性体２１は、電磁遮蔽材である後面板２０２ａから発生する磁界がＲＦＩＤアンテナ４６から発生する電磁波に与える影響を防ぐ特性を有している。そこで、後面板２０２ａとＲＦＩＤアンテナ４６の前後幅を実施例１の所定間隔（Ｌ２）よりも短い所定間隔（Ｌ５）に設定している。
【００５０】
同様にして、左右の側面板２０２ｂ，２０２ｃに配設された左右の側部スペーサ６０’，７０’は左右幅が前述した実施例１における左右の側部スペーサ６０の左右幅よりも短く形成されており、左右の側面板２０２ｂ，２０２ｃと左右の側部スペーサ６０’，７０’の間には磁性体２１’を介挿させている。この磁性体２１’は、電磁遮蔽材である左右の側面板２０２ｂ，２０２ｃから発生する磁界がＲＦＩＤアンテナ４６とＲＦＩＤタグ３０とで送受信される電磁波に与える影響を防ぐ特性を有している。そこで、左右の側面板２０２ｂ，２０２ｃと左右の側部スペーサ６０’，７０’の左右幅を実施例１の所定間隔（Ｌ４）よりも短い所定間隔（Ｌ６）に設定している。
【００５１】
以上の説明により実施例２では、電磁遮蔽材である後面板２０２ａと読出装置であるＲＦＩＤアンテナ４６との間に磁性体２１を介挿させることで、前後の所定間隔幅を狭めることができ、電磁遮蔽材である左右の側面板２０２ｂ，２０２ｃと側部スペーサ６０’，７０’との間に磁性体２１’を介挿させることで、左右の所定間隔幅を狭めることができるので、引き出し２０２の収納部２１０を広く確保でき、より多くのバインダー１４の物品を収納可能になる。
【００５２】
以上、本発明の実施例を図面により説明してきたが、具体的な構成はこれら実施例に限られるものではなく、本発明の要旨を逸脱しない範囲における変更や追加があっても本発明に含まれ、例えば、上記実施例では、ＲＦＩＤタグ３０の取り付け位置をバインダー１４の側面側にしているが、本発明はこれに限定されるものではない。
【図面の簡単な説明】
【００５３】
【図１】本発明の実施例１における什器が適用された物品管理システムの構成を示すブロック図および什器群の斜視図である。
【図２】（ａ）は、什器から引き出された引き出しを示す組立分解斜視図であり、（ｂ）は、読出装置が配設された後部スペーサの要部拡大組立分解斜視図である。
【図３】組み立て完成後の引き出しと、引き出しに収納される物品を示す斜視図である。
【図４】図１の什器の引き出し側の縦断面図である。
【図５】図４のＡ−Ａ線を示す引き出しの平面断面図である。
【図６】本発明の実施例２における引き出しの平面断面図である。
【符号の説明】
【００５４】
１                    什器
１ａ                  什器本体
２                    通信ケーブル（信号ケーブルと給電ケーブルを含む）
１１                  中継装置
１４                  バインダー（物品）
１６                  天板（電磁遮蔽材）
１７                  背面板（電磁遮蔽材）
１８                  底板（電磁遮蔽材）
１９                  側面板（電磁遮蔽材）
２１、２１’          磁性体（電磁波干渉防止部材）
２５                  上棚収納部の棚板
２６                  下棚収納部の棚板
３０                  ＲＦＩＤタグ
４６                  ＲＦＩＤアンテナ（読出装置）
４７                  接続部
５０、５０’          後部スペーサ
５１                  配線孔
５２                  アンテナ収納空間
５３                  配線溝
６０、６０’          左側部スペーサ
６１                  配線孔
６２                  配線空間
７０、７０’          右側部スペーサ
７１                  配線孔
７２                  配線空間
１００                書庫
１０１                上棚収納部
１０２                下棚収納部
２００                ラテラル式の什器
２００ａ              引き出し収納庫
２０１〜２０４        引き出し
２０１ａ〜２０４ａ    後面板（電磁遮蔽材）
２０１ｂ〜２０４ｂ    左側面板（電磁遮蔽材）
２０１ｃ〜２０４ｃ    右側面板（電磁遮蔽材）
２０１ｄ〜２０４ｄ    前面板（電磁遮蔽材）
２０１ｅ〜２０４ｅ    底板（電磁遮蔽材）
２０２’              引き出し
２１０                物品の収納部（収納部）
２１１〜２１４        収納部指示ランプ
２１５                解錠ランプ
２１６                スピーカ
２１７                施解錠装置
【図１】
2006218051.tif 000003
【図２】
2006218051.tif 000004
【図３】
2006218051.tif 000005
【図４】
2006218051.tif 000006
【図５】
2006218051.tif 000007
【図６】
2006218051.tif 000008